(57)【要約】【課題】框体のコーナー部分において網部材を強固に固定することのできる戸体及びそれを有するサッシを提供する。【解決手段】框体２３は上下框２０、２１と隣接する縦框２２とがそれぞれ連結部材３０を介して連結され、上下框２０、２１と縦框２２はそれぞれ長手方向に沿って網部材２４の周縁部を嵌入する溝部２５を備え、連結部材３０は網部材２４のコーナー部における周縁部を嵌入するコーナー溝部３６を備え、コーナー溝部３６は溝部２５と異なる断面形状を有してなり、溝部２５及びコーナー溝部３６に対し嵌入された網部材２４の周縁部を四周に渡り固定する固定ゴム部材２６が設けられる。【選択図】図５
2011069087.tif 000002
【特許請求の範囲】
【請求項１】
建物開口部に設けられる枠体に対し固定される框体を有し、該框体は上下框と左右の縦框を方形状に框組みしてなると共に、前記框体内には網部材を納めてなる戸体において、
前記框体は前記上下框と隣接する前記縦框とがそれぞれ連結部材を介して連結され、前記上下框と縦框はそれぞれ長手方向に沿って前記網部材の周縁部を嵌入する溝部を備え、前記連結部材は前記網部材のコーナー部における周縁部を嵌入するコーナー溝部を備え、  前記溝部及びコーナー溝部に対し嵌入された前記網部材の周縁部を四周に渡り固定する固定ゴム部材が設けられることを特徴とする戸体。
【請求項２】
前記連結部材のコーナー溝部は、前記上下框と縦框の溝部と連続状となることを特徴とする請求項１記載の戸体。
【請求項３】
前記コーナー溝部は前記溝部と異なる断面形状を有してなることを特徴とする請求項１または２記載の戸体。
【請求項４】
前記連結部材のコーナー溝部は、前記上下框と縦框の溝部よりも細幅に形成されてなることを特徴とする請求項３記載の戸体
【請求項５】
前記連結部材のコーナー溝部は、側壁の略全面に渡って凹凸を有することを特徴とする請求項３または４記載の戸体。
【請求項６】
建物開口部に設けられる枠体に対し障子を開閉自在に納めると共に、該障子の室内側に請求項１〜５のいずれか１項に記載の戸体を固定してなるサッシ。
【発明の詳細な説明】
【技術分野】
【０００１】
本発明は、建物開口部の枠体内に納められる戸体及びそれを有するサッシに関し、特に四辺の框材を連結部材を介して連結してなる戸体及びそれを有するサッシに関する。
【背景技術】
【０００２】
従来、建物開口部に取付けられる枠体内に納められる戸体、特に網戸が知られている。戸体は、上下框と左右の縦框を方形状に框組みしてなる框体を備え、この框体内に網部材を納めるようにしている。特に、サッシが辷り出し窓や開き窓であって、障子の開閉を枠体の室内側に設けられる操作ハンドルで行う場合には、網戸は枠体に対して嵌め殺し状に固定される。
【０００３】
戸体において、網部材を框体に固定するための構造としては、框体の室外側面に四周に渡って溝部を形成し、網部材の周縁部を溝部に嵌入させると共に、溝部を塞ぐように固定ゴム部材を設けて固定するのが一般的である。このような構造を有した戸体としては、例えば特許文献１に挙げるようなものがある。
【先行技術文献】
【特許文献】
【０００４】
【特許文献１】特開２００６−２０７１７６号公報
【発明の概要】
【発明が解決しようとする課題】
【０００５】
従来の戸体においては、網部材を嵌入する溝部が、框体を構成する上下框及び左右の縦框に四周に渡って形成されていた。このため、網部材を溝部に固定する固定ゴム部材は、四周に渡って框材の溝部に嵌入されることとなっていた。
【０００６】
このように網部材を固定する固定ゴム部材を溝部に嵌め込む際、コーナー部分で固定ゴム部材が切れることがあった。これは、固定ゴム部材を溝部に対し嵌め込む際に、コーナー部で互いに突き当てられる框材先端のバリによるものであった。固定ゴム部材を嵌め込む際には、網部材をなるべく強く張って固定したいため、強い力でゴムを嵌め込むが、この際において、コーナー部が框材同士で突き当てられていると、それぞれの框材先端のバリがゴムを切断するおそれがあった。
【０００７】
本発明は前記課題を鑑みてなされたものであり、框体のコーナー部分において網部材を固定する固定ゴム部材が切れることを防止することのできる戸体及びそれを有するサッシを提供することを目的とする。
【課題を解決するための手段】
【０００８】
前記課題を解決するため、本発明に係る戸体は、建物開口部に設けられる枠体に対し固定される框体を有し、該框体は上下框と左右の縦框を方形状に框組みしてなると共に、前記框体内には網部材を納めてなる戸体において、
前記框体は前記上下框と隣接する前記縦框とがそれぞれ連結部材を介して連結され、前記上下框と縦框はそれぞれ長手方向に沿って前記網部材の周縁部を嵌入する溝部を備え、前記連結部材は前記網部材のコーナー部における周縁部を嵌入するコーナー溝部を備え、  前記溝部及びコーナー溝部に対し嵌入された前記網部材の周縁部を四周に渡り固定する固定ゴム部材が設けられることを特徴として構成されている。
【０００９】
また、本発明に係る戸体は、前記連結部材のコーナー溝部は、前記上下框と縦框の溝部と連続状となることを特徴として構成されている。
【００１０】
さらに、本発明に係る戸体は、前記コーナー溝部は前記溝部と異なる断面形状を有してなることを特徴として構成されている。
【００１１】
さらにまた、本発明に係る戸体は、前記連結部材のコーナー溝部は、前記上下框と縦框の溝部よりも細幅に形成されてなることを特徴として構成されている。
【００１２】
そして、本発明に係る戸体は、前記連結部材のコーナー溝部は、側壁の略全面に渡って凹凸を有することを特徴として構成されている。
【００１３】
また、本発明に係るサッシは、建物開口部に設けられる枠体に対し障子を開閉自在に納めると共に、該障子の室内側に前記いずれかの戸体を固定して構成されている。
【発明の効果】
【００１４】
本発明に係る戸体によれば、框体は上下框と隣接する縦框とがそれぞれ連結部材を介して連結され、上下框と縦框はそれぞれ長手方向に沿って前記網部材の周縁部を嵌入する溝部を備え、連結部材は網部材のコーナー部における周縁部を嵌入するコーナー溝部を備え、溝部及びコーナー溝部に対し嵌入された網部材の周縁部を四周に渡り固定する固定ゴム部材が設けられることにより、連結部材により框体のコーナー部が一体的に形成されることとなり、框材同士が突き当てられていないので、框材のバリによる固定ゴム部材の切断を防止することができる。特に、連結部材を樹脂材で構成することで、確実に固定ゴム部材の切断を防止することができる。
【００１５】
また、本発明に係る戸体によれば、コーナー溝部は溝部と異なる断面形状を有してなることにより、連結部材のコーナー溝部は、上下框と縦框の溝部と連続状となることにより、固定ゴム部材を框体の四周に渡って連続状に嵌入することができ、網部材をより強固に固定することができる。
【００１６】
さらに、本発明に係る戸体によれば、框体のコーナー部分における網部材の固定強度を框材の部分と異ならせることができるので、框体のコーナー部分において網部材をより強固に固定するようにコーナー溝部の断面形状を設定することにより、網部材を四隅で強固に固定することができ、網部材が緩んだり隙間を生じたりすることを防止することができる。
【００１７】
さらにまた、本発明に係る戸体によれば、連結部材のコーナー溝部は、上下框と縦框の溝部よりも細幅に形成されてなることにより、コーナー溝部における網部材の固定強度を大きくすることができる。
【００１８】
そして、本発明に係る戸体によれば、連結部材のコーナー溝部は、側壁の略全面に渡って凹凸を有することにより、網部材とコーナー溝部との摩擦抵抗を大きくし、網部材がコーナー溝部から抜けにくいようにすることができ、固定強度をより大きくすることができる。
【図面の簡単な説明】
【００１９】
【図１】本実施形態における戸体を備えたサッシの縦断面図である。
【図２】本実施形態における戸体を備えたサッシの横断面図である。
【図３】框体の分解斜視図である。
【図４】金属上框と金属縦框の連結部分付近における分解斜視図である。
【図５】框体の正面図である。
【図６】金属縦框の溝部付近の拡大断面図である。
【図７】連結部材の拡大断面図である。
【図８】樹脂部材を取付けた框体の斜視図である。
【図９】戸体を取付ける際における枠体の横断面図である。
【発明を実施するための形態】
【００２０】
本発明の実施形態について図面に沿って詳細に説明する。図１には本実施形態における戸体を備えたサッシの縦断面図を、図２には本実施形態における戸体を備えたサッシの横断面図を、それぞれ示している。これら各図に示すように、本実施形態のサッシは、建物開口部に取付けられる枠体１内に障子２が開閉自在に納められ、さらに障子２の室内側には、網戸である戸体３が固定されている。
【００２１】
本実施形態のサッシは、障子２が枠体１に対し縦辺を軸に室外側に向かって開閉自在とされた辷り出し窓として構成されている。この障子２は、枠体１の室内側に設けられる操作ハンドル４と連係しており、操作ハンドル４を操作することにより、開閉させることができる。
【００２２】
障子２は、方形状に框組みされてなる障子框体２ａ内に、ガラス体２ｂを納めて構成されている。また、枠体１に設けられる操作ハンドル４は、本実施形態では枠体１の下辺に固定される基部４ａと、基部４ａから室内側に向かって突出するように設けられるハンドル部４ｂとを備え、ハンドル部４ｂは基部４ａに対して回動自在とされ、その回動に伴って障子２が開閉するように構成されている。
【００２３】
枠体１は、上枠１０と下枠１１及び左右の縦枠１２、１２を方形状に枠組みして構成されている。これら各枠材の内周面は、閉じた状態の障子２の外周面と対向している。また、枠体１の室内側は、障子２の室内面と対向するように見付方向内側に突出状となるように形成されており、四周に渡って気密材１３が設けられて障子２に対し当接することで、枠体１と障子２の間の気密性を確保するようにしている。
【００２４】
また枠体１は、左右の縦枠１２に、気密材１３よりも見付方向内側に向かって突出状となる突出部１４が形成されている。突出部１４は、見込方向に一定の幅を有するように形成されており、この突出部１４に対して戸体３の左右縦辺を係止させることにより、戸体３を枠体１に対して固定するようにしている。
【００２５】
戸体３は、上框２０と下框２１及び左右の縦框２２、２２を方形状に框組みしてなる框体２３内に、網部材２４を納めて構成されている。框体２３は、室外面の内周側に、四周に渡って凹状の溝部２５を有しており、網部材２４は周縁部が溝部２５に嵌入され固定されている。網部材２４は、細い糸が上下左右に格子状となるように編まれて平面状とされたものであり、室外側からの虫等の侵入を防止する。網部材２４の固定構造については、後で詳述する。
【００２６】
框体２３を構成する各框材は、金属材と樹脂材によって構成されている。上框２０は、溝部２５を有する金属上框２０ａと、この金属上框２０ａの室内側露出部分を覆うように取付けられる樹脂上框２０ｂとで構成される。また、下框２１も、上框２０と同様の構成からなる金属下框２１ａと樹脂下框２１ｂとで構成される。さらに、縦框２２についても、金属縦框２２ａと樹脂縦框２２ｂとで構成される。
【００２７】
框体２３を構成する金属部分である金属上框２０ａと金属下框２１ａ及び金属縦框２２ａは、いずれも略同じ断面形状を有する中空状に形成されている。框体２３は、上辺と下辺については、外周面または室外側面において枠体１と当接している。一方、框体２３の縦辺においては、縦枠１２の突出部１４を飲み込むように係止がなされている。
【００２８】
框体２３の構成及び枠体１との係止構造について、より詳細に説明する。図３には、框体２３の分解斜視図を示している。この図では、框体２３を構成する金属部材は連結された状態であって、樹脂部材が分解された状態を示している。図３に示すように、金属上框２０ａと左右の金属縦框２２ａは、それぞれ連結部材３０によって連結されており、金属下框２１ａと左右の金属縦框２２ａも、それぞれ連結部材３０によって連結されている。
【００２９】
連結部材３０は、框体２３の四つのコーナー部分を構成するコーナー構成部３２を備え、また連結する各框の中空内部にそれぞれ挿入されることによって、両者を連結する機能を有している。図４には、金属上框２０ａと金属縦框２２ａの連結部分付近における分解斜視図を示している。連結部材３０は、樹脂材からなるブロック状に形成された連結部材本体３１を備え、連結部材本体３１がコーナー構成部３２を有すると共に、コーナー構成部３２から直交する２方向に向かってそれぞれ挿入部３３が形成されている。
【００３０】
２つの挿入部３３は、それぞれ金属上框２０ａと金属縦框２２ａの中空部分に略適合する断面形状を有しており、各框材に挿入されることで、金属上框２０ａと金属縦框２２ａを直交するように連結する。このように、連結部材３０が挿入部３３を備え、これらを各框材の中空内部に挿入して連結することにより、框材の連結にビス等を用いる必要がなく、部品点数を削減できると共に、組立も容易にすることができる。
【００３１】
コーナー構成部３２のうち、金属縦框２２ａと隣接する縦辺外周面には、凹状の係止部３４が形成される。係止部３４内には、金属材からなる弾性部材３５が取付けられており、弾性部材３５は係止部３４の底壁となる部分に弾性部３５ａを有している。係止部３４は、枠体１を構成する縦枠１２に形成される突出部１４に対して係止され、弾性部３５ａは突出部１４の先端面に弾接する。連結部材３０は、框体２３の両側にそれぞれ設けられて、弾性部３５ａはこの両側において框体２３を見付方向内側に向かって押圧挟持することとなるので、戸体３を枠体１に対して安定的に係止させることができる。
【００３２】
框体２３において、金属上框２０ａの室内側に取付けられる樹脂上框２０ｂは、金属上框２０ａの室内側面を全長に渡り覆うと共に、両側の連結部材３０におけるコーナー構成部３２の室内側面も覆うように形成されている。樹脂下框２１ｂも、同様に金属下框２１ａの室内側面を全長に渡り覆うと共に、両側の連結部材３０におけるコーナー構成部３２の室内側面も覆うように形成される。樹脂縦框２２ｂは、樹脂上框２０ｂのコーナー構成部３２を覆う部分と樹脂下框２１ｂのコーナー構成部３２を覆う部分とを渡すように、金属縦框２２ａの室内側面を全長に渡って覆うように形成される。
【００３３】
図４に示すように、框体２３を構成する金属上框２０ａと金属縦框２２ａには、それぞれ内周面側の長手方向に沿って凹状の溝部２５が形成されている。また、連結部材３０には、コーナー構成部３２の室外面側にコーナー溝部３６がＬ字状をなすように形成されている。連結部材３０のコーナー溝部３６は、連結する金属上框２０ａと金属縦框２２ａの各溝部２５と連続状となるように形成されており、框体２３のコーナー部分において網部材２４の周縁部を嵌入させることができる。なお、図４では金属上框２０ａと金属縦框２２ａの連結部分を示しているが、金属下框２１ａと金属縦框２２ａの連結部分についても、同様の構造である。
【００３４】
図５には、框体２３の正面図を示している。前述のように、連結部材３０で連結された各框材の溝部２５と連結部材３０のコーナー溝部３６は、四周に渡って連続状となる。ここで、連結部材３０のコーナー溝部３６は、框材の溝部２５とはその断面形状が若干異なっている。図６には金属縦框２２ａの溝部２５付近の拡大断面図を、図７には連結部材３０の拡大断面図を、それぞれ示している。
【００３５】
図６に示すように、金属縦框２２ａの溝部２５は、内周側の側壁の先端部が溝の内側に向かって折り返された形状を有しており、このため溝部２５の開口がやや狭くなっている。また、内周側の側壁の表面には、凹凸が形成されていて、網部材２４との摩擦抵抗を増して外れにくいようにしている。なお、金属上框２０ａの溝部２５と金属下框２１ａの溝部２５も金属縦框２２ａの溝部２５と同形状である。網部材２４は、周縁部が溝部２５内に嵌入され、その上から溝部２５の開口を塞ぐように固定ゴム部材２６が嵌入される。固定ゴム部材２６は、四周に渡り連続状とされる溝部２５とコーナー溝部３６に適合する幅及び長さを有しており、框体２３の四周に渡って連続状に設けられて、網部材２４を溝部２５及びコーナー溝部３６に固定する。なお、図６、図７以外の図面において固定ゴム部材２６は省略されている。
【００３６】
図７に示すように、連結部材３０のコーナー溝部３６は、溝部２５のような開口部における折り返し形状を有しておらず、開口部から底部に至るまで同じ幅を有するように形成されている。この幅は、溝部２５の開口幅と略同じであり、このため、コーナー溝部３６は溝部２５に比べて開口部分を除けば細幅となっている。これにより、網部材２４周縁部の固定強度を、框体２３のコーナー部分においてより大きくすることができ、網部材２４を四隅領域でしっかりと固定することができるため、網部材２４に張力をかけた場合における全体としての固定強度も大きくすることができる。
【００３７】
また、連結部材３０のコーナー溝部３６には、両側壁の略全面に渡って細かい凹凸が形成されている。これにより、網部材２４の周縁部との摩擦抵抗を溝部２５よりもさらに大きくして、網部材２４をより強固に固定することができるようにされている。なお、連結部材３０においても、網部材２４は固定ゴム部材２６の嵌入によってコーナー溝部３６に固定される。これらのように、連結部材３０のコーナー溝部３６が、框材の溝部２５と異なる断面形状を有して、網部材２４の周縁部をより強固に固定できるように形成されていることにより、網部材２４を框体２３の四隅部分で強く引っ張ることができ、網部材２４が緩むことを防止すると共に、框体２３との間に隙間を生じることも防止することができる。
【００３８】
このように、框体２３のコーナー部分を連結部材３０で構成し、連結部材３０に框材の溝部２５と連続するコーナー溝部３６を形成して、固定ゴム部材２６を嵌入するようにしたことで、框体２３のコーナー部分において框材同士が突き当てられていないので、固定ゴム部材２６を嵌入する際に、框材の端部に生じるバリによって固定ゴム部材２６を切断してしまうことを防止することができる。特に、連結部材３０は樹脂材からなるので、固定ゴム部材２６の切断を確実に防止できる。
【００３９】
図８には、樹脂部材を取付けた框体２３の斜視図を示している。この図に示すように、樹脂上框２０ｂと樹脂下框２１ｂは、それぞれ連結部材３０の室内側面を含む金属上框２０ａと金属下框２１ａの室内側面を、それぞれ覆っており、金属縦框２２ａの室内側面を覆って上下框間を渡すように設けられる樹脂縦框２２ｂと合わせて、框体２３を構成する樹脂材は、室内側面が四周に渡って面一状とされる。
【００４０】
このように、框体２３が金属材のみで連結部材３０により連結された状態で、室内側面が四周に渡って面一状となるので、框体２３を金属材のみで構成することもでき、この場合に室内側面が面一状であって室内側に突出しているものがないため、意匠性を良好にすることができる。また、四周に渡り面一状の金属材の室内側面に対し、それぞれ樹脂材を取付けることにより、樹脂材の室内側面も容易に四周に渡り面一状とすることができ、この場合においても意匠性を良好にすることができる。すなわち、本実施形態の戸体３は、框体２３として、金属材のみで構成する場合と、金属材及び樹脂材で構成する場合とを、選択することができ、いずれの場合においても、室内側面に突出するものを設けることなく四周に渡り面一状として、意匠性を良好にすることができる。
【００４１】
この戸体３は、けんどん式で枠体１に取付けられる。図９には、戸体３を取付ける際における枠体１の横断面図を示している。この図に示すように、戸体３を枠体１に対して傾斜状とし、一方の縦辺側における連結部材３０の係止部３４により、対応する縦枠１２の突出部１４を飲み込ませるように移動させる。その状態から戸体３を枠体１と平行となるようにして、戸体３の他方の縦辺側についても、対応する縦枠１２の突出部１４を係止部３４に飲み込ませる。これによって、戸体３の両側の係止部３４がそれぞれ両縦枠１２の突出部１４を飲み込んだ形となると共に、両側の連結部材３０に設けられた弾性部３５ａが、それぞれ戸体３を見付方向内側に向かって押圧挟持し、戸体３の枠体１に対する安定的な固定がなされる。
【００４２】
以上、本発明の実施形態について説明したが、本発明の適用は本実施形態には限られず、その技術的思想の範囲内において様々に適用されうるものである。例えば、本実施形態においてコーナー溝部３６の形状は、溝部２５よりも溝幅が小さく、また溝部２５と異なり側壁の全面に渡って細かい凹凸が形成されているが、コーナー溝部３６の形状としてはこれに限られず、溝部２５と異なる断面形状であって框体２３のコーナー部分における網部材２４の固定強度を大きくする、あるいは網部材２４を固定しやすくする形状を、必要に応じて採用することができる。
【符号の説明】
【００４３】
１    枠体
２    障子
３    戸体
４    操作ハンドル
１０    上枠
１１    下枠
１２    縦枠
１３    気密材
１４    突出部
２０    上框
２１    下框
２２    縦框
２３    框体
２４    網部材
２５    溝部
３０    連結部材
３１    連結部材本体
３２    コーナー構成部
３３    挿入部
３４    係止部
３５    弾性部材
３５ａ  弾性部
【図１】
2011069087.tif 000003
【図２】
2011069087.tif 000004
【図３】
2011069087.tif 000005
【図４】
2011069087.tif 000006
【図５】
2011069087.tif 000007
【図６】
2011069087.tif 000008
【図７】
2011069087.tif 000009
【図８】
2011069087.tif 000010
【図９】
2011069087.tif 000011